(57)【要約】【課題】非常に小さい大きさ例えば約２ｍｍのような大きさの眼の切開部中に薄いレンズを挿入する装置及び該装置を含む器械の提供。【解決手段】１つの部材が他の部材に関して滑動可能な１組の部材からなり、部材の１つはレンズを受容し配置するように働き、そしてその動きは管状の形状にレンズを巻かせるように構成されている管状の形状に薄い眼用レンズを巻く装置、並びに該装置を組み込みレンズがその軸によりその管状の形状に整合される軸に沿って巻かれた眼内レンズを送出する器械。
2005534365.tif 000002
【特許請求の範囲】
【請求項１】
１つの部材が他の部材に関して滑動可能な１組の部材からなり、部材の１つはレンズを受容し配置するように働き、そしてその動きは管状の形状にレンズを巻かせるように構成されていることを特徴とする管状の形状に薄い眼用レンズを巻く装置。
【請求項２】
各部材が凹状のくぼみを有し、くぼみは、部材の相対的な滑動の動きの１つの限界位置で、巻いたレンズの管状の形状を画成する空所を形成する請求項１の装置。
【請求項３】
各くぼみが、それぞれの部材の表面の１つの端に沿って直立して形成され、該表面の１つは、部材の相対的な滑動の動きによりそれが巻かれつつある前にレンズを受容するように働く請求項２の装置。
【請求項４】
各くぼみが、該表面とそれに平行に延在している他の表面との間の階段部分として形成され、各部材の他の表面は、他の部材に関する１つの部材の滑動の動きのために他の部材の該表面と滑動して接触する請求項３の装置。
【請求項５】
各くぼみが半円筒状である請求項２−４の何れか１つの項の装置。
【請求項６】
部材の少なくとも１つが、巻かれつつあるレンズがそれと部材の相対的な滑動の動き中接触させられる受け部の表面を設けるように形成され、それにより空所内の回転運動に対してレンズを抑止しそしてレンズを巻くことを促進する請求項２−５の何れか１つの項の装置。
【請求項７】
受け部の表面が、凹状のくぼみの１つの１つの端に沿って延在する平坦部により形成される請求項６の装置。
【請求項８】
限界位置を画成する停止手段を有する請求項２−７の何れか１つの項の装置。
【請求項９】
停止手段が、限界位置の他の部材の表面と接している１つの部材上の突出ピンからなる請求項８の装置。
【請求項１０】
部材を拘束して相互に関して直線的に滑動させる手段を有する請求項１−９の何れか１つの項の装置。
【請求項１１】
拘束手段が、他の部材の相当する開口で受容可能な１つの部材上の少なくとも１つの細長いガイド要素からなる請求項１０の装置。
【請求項１２】
拘束手段が、他の部材の円筒状の穴に受容可能な部材の１つ上の円筒状ピンからなる請求項１１の装置。
【請求項１３】
拘束手段が、それぞれの円筒状の穴に受容可能な第一及び第二の平行な円筒状ピンからなる請求項１２の装置。
【請求項１４】
ピンが両者とも１つの部材上にあり、そして穴が他の部材にある請求項１３の装置。
【請求項１５】
レンズを巻くことが達成されている２つの部材の相対的位置を画成する手段を有する請求項１−１４の何れか１つの項の装置。
【請求項１６】
該相対的位置を画成する手段が、弾性のある偏らせる手段と組み合わされたクリック止め機構からなる請求項１５の装置。
【請求項１７】
クリック止め機構が、滑動可能な部材の１つから突き出ししかも他の部材上の受け部の後ろで係合可能な可撓性の片からなる請求項１６の装置。
【請求項１８】
弾性のある偏らせる手段が、滑動可能な部材の１つ上に配置されしかも滑動可能な部材を偏らせて離すために他の部材に対して係合可能な弾性のある弓形の部材からなる請求項１６または１７の装置。
【請求項１９】
弓形の部材が、その中央に隣接するそれぞれの滑動可能な部材上に配置され、そしてその自由端が他の部材に対して係合可能である請求項１８の装置。
【請求項２０】
眼中に眼内レンズを挿入する器械であって、該器械は請求項１−１９の何れか１つの項の装置を組み込み、そしてレンズがそれによりその管状の形状に整合される軸に沿って巻かれた眼内レンズを送出することを特徴とする器械。
【請求項２１】
本体部分、本体部分の前方にあってレンズがそれを通ってその該軸に沿って通過するように配置されている内腔を有する突出部分、そして本体部分と突出部分とを通って動くことができるプランジャーからなり、該部材の１つが突出部を構成しそして他の部材がそれに関して滑動可能である請求項２０の器械。
【請求項２２】
突出部分が、本体部分に関して動くことができて突出部分の内腔に配置された巻いたレンズへの接近を可能にする請求項２１の器械。
【請求項２３】
突出部分が、本体部分とヒンジで接続され、そして該接近を可能にする開放位置とプランジャーが突出部分中に動くことができる閉止位置との間を動くことができる請求項２２の器械。
【請求項２４】
突出部分が、本体部分から分離でき、そして突出部分及び本体部分が互いに圧入される請求項２２の器械。
【請求項２５】
突出部分及び本体部分が、部分の１つ上の少なくとも１つのピンによって互いに圧入されて他の部分の対応する穴で係合する請求項２４の器械。
【請求項２６】
眼中に巻かれた眼内レンズを挿入する器械であって、縦軸を有する本体部分、本体部分の前方にあってレンズがそれを通って通過するように構成されている内腔を有する突出部分、そして本体部分及び突出部分を通って動くことができるプランジャーからなり、突出部分は、突出部分に関して滑動可能でありそして挿入されるべきレンズを受容かつ配置するように働く部材を受容し、滑動可能な部材及び突出部分の相対的な滑動の動きは、レンズが縦軸と整合しそして巻いたレンズの眼中への挿入のために突出部分の内腔を通って動くときプランジャーにより係合される管状の形状へレンズを巻くことを生じさせるように構成されることを特徴とする器械。
【請求項２７】
突出部分及び滑動可能な部材のそれぞれが凹状のくぼみを有し、該くぼみは、突出部分及び滑動可能な部材の相対的な滑動の動きの１つの限界で、巻いたレンズの管状の形状を画成する空所を形成する請求項２６の器械。
【請求項２８】
各くぼみが、それぞれ突出部分及び滑動部材の表面の１つの端に沿って直立して形成され、該表面の１つは、突出部分及び滑動部材の相対的な滑動の動きによりそれが巻かれつつある前にレンズを受容するように働く請求項２７の器械。
【請求項２９】
各くぼみが、該表面とそれに平行に延在している他の表面との間に階段部分として形成され、突出部分及び滑動部分の他の表面は、突出部分に関する滑動部材の滑動の動きのために、それぞれ滑動部材及び突出部分の該表面と滑動して接触する請求項２８の器械。
【請求項３０】
各くぼみが半円筒状である請求項２７−２９の何れか１つの項の器械。
【請求項３１】
突出部分及び滑動部材の少なくとも１つが、巻かれつつあるレンズが突出部分及び滑動部材の相対的な滑動の動き中それと接触させられる受け部の表面を設けるように成形されて、それにより空所内の回転運動に対してレンズを抑制しそしてレンズの巻きを促進する請求項２７−３０の何れか１つの項の器械。
【請求項３２】
受け部の表面が、凹状のくぼみの１つの１つの端に沿って延在している平坦部により形成される請求項３１の器械。
【請求項３３】
該限界位置を画成する停止手段を有する請求項２７−３２の何れか１つの項の器械。
【請求項３４】
停止手段が、突出部分及び限界位置の滑動部材の他のものの表面と接している突出部分及び滑動部材の１つの上の突出ピンからなる請求項３３の器械。
【請求項３５】
突出部分に関して直線的に滑動するように滑動部材を拘束する手段を有する請求項２６−３４の何れか１つの項の器械。
【請求項３６】
拘束手段が、突出部分及び滑動部材の他のものの相当する開口に受容可能な突出部分及び滑動部材の１つの上の少なくとも１つの細長いガイド要素からなる請求項３５の器械。
【請求項３７】
拘束手段が、突出部分及び滑動部材の他のものの円筒状の穴に受容可能な突出部分及び滑動部材の１つの上の円筒状のピンからなる請求項３６の器械。
【請求項３８】
拘束手段が、それぞれの円筒状の穴に受容可能な第一及び第二の平行な円筒状のピンからなる請求項３７の器械。
【請求項３９】
ピンが、両方とも突出部分及び滑動部材の１つにありそして穴は他のものにある請求項３８の器械。
【請求項４０】
レンズを巻くことが達成されている突出部分及び滑動可能な部材の相対的位置を画成する手段を有する請求項２６−３９の何れか１つの項の器械。
【請求項４１】
該相対的位置を画成する手段が、弾性のある偏らせる手段と組み合わされたクリック止め機構からなる請求項４０の器械。
【請求項４２】
クリック止め機構が、突出部分または滑動部材から突出しておりしかもそれぞれ滑動部材または受け部の後ろで係合可能な可撓性の片からなる請求項４１の器械。
【請求項４３】
巻く本体部分が、突出部分または滑動可能な部材上に配置されしかも突出部分及び滑動可能な部材を偏らせて離れさせるためにそれぞれ滑動可能な部材または突出部分に関して係合可能な弾性のある弓形の部材を含む請求項４１または４２の器械。
【請求項４４】
弓形の部材が、その中央に隣接する突出部分または滑動可能な部材上に配置され、そしてその自由端がそれぞれ滑動可能な部材または突出部分に対して係合可能である請求項４３の器械。
【請求項４５】
突出部分が、本体部分に関して動くことができ、突出部分の内腔に配置された巻いたレンズへの接近を可能にする請求項２６−４４の何れか１つの項の器械。
【請求項４６】
突出部分が、本体部分にヒンジで接続され、そして該接近を可能にする開放位置とプランジャーが突出部分中に動くことができる閉止位置との間を動くことができる請求項４５の器械。
【請求項４７】
突出部分が、本体部分から分離可能であり、そして突出部分及び本体部分が互いに圧入される請求項４５の器械。
【請求項４８】
突出部分及び本体部分が、部分の１つ上の少なくとも１つのピンにより互いに圧入されて他の部分の相当する穴に係合する請求項４７の器械。
【請求項４９】
レンズを巻く部材がレンズが巻かれそして送出の用意ができているそれらの相対的位置にあるとき、器械を受容するように成形された圧縮ブロックと組み合わされた請求項２１−４８の何れか１つの項の器械。
【請求項５０】
レンズを管状の形状に巻くことからなることを特徴とする眼中に挿入されるための眼用レンズを製造する方法。
【請求項５１】
それがその管状の形状を維持しようとするために、巻いたレンズを挿入前に冷却するさらなる工程を含む請求項５０の方法。
【請求項５２】
巻いたレンズが、横断面で螺旋状の形状を有する請求項５０または５１の方法。
【請求項５３】
図に関連して実質的に記述された眼中に挿入される眼用レンズを製造する方法。
【請求項５４】
請求項１−１９の何れか１つの項の装置に使用により実施される請求項５０−５３の何れか１つの項の方法。
【請求項５５】
巻いたレンズが、眼中への挿入前に、装置から取り出されそして挿入器械に置かれる請求項５４の方法。
【請求項５６】
請求項５０−５５の何れか１つの項の方法によりレンズを製造し、眼に切開部をつくりそして巻いたレンズを切開部から眼中に挿入することからなることを特徴とする眼に眼用レンズを挿入する方法。
【請求項５７】
請求項２０−４９の何れか１つの項の器械の使用により実施される請求項５６の方法。
【請求項５８】
冷却が、本体部分に関する突出部分の移動後実施されて、突出部分に配置された巻いたレンズへの冷却流体の適用を可能にする、請求項２２−２５及び４５−４８の何れか１つの項の器械の使用によって実施される請求項５６の方法。
【請求項５９】
図１０に実質的に記述された、眼中への挿入のための薄い眼用レンズを巻く装置。
【請求項６０】
図１−９及び１４−２４に関連して記述されたような、眼中へ眼用レンズを挿入する器械。
【発明の詳細な説明】
【技術分野】
【０００１】
本発明は、一般に、眼中への眼内レンズの挿入に使用される眼用レンズの送出及び器械に関する。小さい切開部を通して眼内レンズを挿入することは、或る眼科の手術例えば白内障を取り除く水晶体超音波吸引において必要である。
【背景技術】
【０００２】
特許文献１では、眼内への眼内レンズの挿入のための器械が記載され、それは縦軸を有する本体部分、本体部分の前にあってレンズがそれを通って通過するように構成されている内腔を有する突出部分、そして本体部分及び突出部分を通って動くことができるプランジャーからなり、突出部分は、ヒンジで本体部分に接続され、そして開放位置でその中に眼内レンズを受容するために、それが縦軸との整合から枢動して外れる開放位置とそれが本体部分と同軸になる閉止位置との間を動くことができる。
【０００３】
開放位置では、レンズが挿入でき、次に突出部分は閉止されそして突出部分からレンズを出すためのプランジャーの次の操作のために決められた位置にロックされる。
前記の器械を使用するにあたって、レンズは、プランジャーが内腔内に前方にそれを押すとき、取り囲む通路の形状に畳まれる。これは、それが眼の比較的短い切開部中に挿入できるようにその大きさを小さくするためである。
【０００４】
現在入手できるレンズは、すべて、必要な屈折の目的を達成することができるために、実質的な大きさの凸面体そしてそのために厚さを有している。しかし、それらがそれから作られる材料が非常に低下したレンズの厚さで必要な屈折力を達成できるために、薄いレンズが、現在入手できるようになっている。これらのレンズは、約０．４ｍｍのような薄い厚さを有することができる。親水性アクリル材料が、使用できるものに含まれる。
また、眼科医は、眼の切開部をさらに小さくできることを望んでいる。しかし、切開部のサイズは、畳まれたレンズの大きさによって主に支配されている。
【０００５】
【特許文献１】ＷＯ−Ａ−９９／３３４１１
【発明の開示】
【発明が解決しようとする課題】
【０００６】
薄いレンズを使用して非常に小さい大きさ例えば約２ｍｍのような大きさの切開部中に挿入できる方法を提供することが本発明の目的である。
【課題を解決するための手段】
【０００７】
おおまかに本発明の１つの構成をいえば、管状の形状にレンズを巻くことからなる、眼中への挿入のための眼用レンズを製造する方法が提供される。好ましくは、レンズは次に冷却されて次の眼中の挿入のためにその形状を維持する。
【０００８】
また、本発明をおおまかにいえば、眼中への挿入のための眼用レンズを製造する方法が提供され、それは、注入器械の受容表面上にレンズを置き、そしてプランジャーによる係合のために器械の縦軸と整合して管状の形状にレンズを巻くことからなる。
【０００９】
好ましくは、巻かれた後、レンズは、それが眼中（身体の温かさがそれをその使用する形状にほどかせる）に挿入されるまでその巻いた形状を維持するように冷却される。
【００１０】
おおまかにいえば、本発明によれば、また、眼用レンズを管状の形状に巻く装置が提供され、それは、１つの部材が他の部材に関して滑動可能な１組の部材からなり、該部材の１つはレンズを受容しかつ配置するように働き、そしてその動きは管状の形状にレンズを巻かせるように構成される。
【００１１】
本発明は、特許文献１に記載された器械と使用すると特に適切であり、それは、９０度枢動できる突出部を有する、分解できるバレル注入器と考えられる。
また、本発明によれば、特許文献１に記載されたタイプの器械において、器械の前方の部分には、器械の突出部に関して滑動可能な部材からなるキャリジが設けられ、該部材は、レンズを受容かつ配置し、そしてその動きは管状の形状にレンズを巻かせるように構成される。
【００１２】
滑動の動きは、好ましくは、器械の縦軸に対して横方向に行われる。
この巻く動作は、閉じた突出部分で行われる。突出部分は、次に検査及び／または例えばＢＳＳにより冷却されるべきレンズのために開けられる。突出部分は、次にふたたび閉じられ、そして巻いたレンズは、内腔の穴を通ってプランジャーにより前方に押される。
【００１３】
レンズが、約１．３ｍｍのような小さい外径を有するように巻かれ、それは、内腔の穴が約１．４ｍｍの直径を有することができることを意味することが、実際に分かっている。
【００１４】
閉じた係合を維持するためのチェックピン及び心だしピンを必要としないレンズ巻き送出システムを提供することも望ましい。
容易に製造できるがしかし有効かつ信頼できるように機能するレンズ巻き送出システムを提供することは、本発明の他の目的である。
【００１５】
これは、器械の突出部に関して横方向に滑動可能な部材からなるキャリジを使用することにより本発明により達成でき、該部材はレンズを受容かつ配置し、そしてその移動は管状の形状へのレンズの巻きを生じさせるように構成され、レンズの送出のための滑動可能な部材の正確な配置は、弾性のある偏らせる手段と組み合わされたクリック止め機構によって行われる。
【００１６】
弾性のある偏らせる手段は、好ましくは、滑動可能な部材上に配置されしかも器械の突出部分に対して係合可能な弾性のある弓形の部材であり、クリック止め機構の力に対して後退する方向に滑動可能な部材を偏らせる。
【００１７】
クリック止め機構は、好ましくは、滑動可能な部材の本体から突き出しておりしかも器械の突出部分に設けられた受け部の後ろで係合可能な可撓性の片である。
器械は、好ましくは、２つの部分、すなわち圧入する主な本体部分及び突出部分で形成される。
【００１８】
本発明は、薄い眼用レンズを管状の形状に巻く装置を提供し、それは、１つの部材が他の部材に関して滑動可能な１組の部材からなり、部材の１つは、レンズを受容かつ配置するように働き、そしてその動きは管状の形状にレンズを巻かせるように構成される。
【００１９】
好ましくは、各部材は、凹状のくぼみを有し、そのくぼみは、部材の相対的な滑動の動きの１つの限界位置で、巻いたレンズの管状の形状を画成する空所を形成する。
それぞれのくぼみは、それぞれの部材の表面の１つの端に沿って直立して形成され、該表面の１つは、部材の相対的な滑動の動きによりそれが巻かれつつある前に、レンズを受容するように働く。
【００２０】
有利には、それぞれのくぼみは、該表面とそれに平行して延在する他の表面との間に階段部分として形成され、各部材の他の表面は、他の部材に関する１つの部材の滑動の動きについて他の部材の該表面と滑動して接触している。好ましくは、各くぼみは半円筒状である。
【００２１】
有利には、部材の少なくとも１つは、巻かれつつあるレンズが部材の相対的な滑動の動き中それと接触させられる受け部の表面を設けるように成形され、それにより空所内の回転運動に対してレンズを抑制しそしてレンズの巻きを促進させる。
【００２２】
受け部の表面は、凹状のくぼみの１つの１つの端に沿って延在する平坦部により形成できる。
有利には、装置は、限界位置を画成する停止手段を有し、その停止手段は、好都合には、限界位置で他の部材の表面と接している１つの部材上の突出ピンからなる。
【００２３】
装置は、好ましくは、部材が互いに直線的に滑動することを拘束する手段を有し、その拘束手段は、好都合には、他の部材の相当する開口に受容可能な１つの部材上の少なくとも１つの細長いガイド要素からなる。
【００２４】
有利には、拘束手段は、他の部材の円筒状の穴に受容可能な部材の１つの上の円筒状のピンからなる。
好ましくは、拘束手段は、それぞれの円筒状の穴に受容可能な第一及び第二の平行な円筒状のピンからなる。
【００２５】
好都合には、ピンは、ともに１つの部材上にあり、そして穴は他の部材にある。
装置は、有利には、レンズの巻きが達成されている２つの部材の相対的な位置を画成する手段を含み、該手段は、好都合には、弾性のある偏らせる手段と組み合わされたクリック止め機構からなる。
【００２６】
クリック止め機構は、滑動可能な部材の１つから突き出しておりしかも他の部材上の受け部の後ろで係合可能な可撓性の片からなることができる。
弾性のある偏らせる手段は、滑動可能な部材の１つの上に配置されしかも滑動可能な部材を偏らせて離れるように他の部材に対して係合可能な弾性のある弓形の部材からなることができる。
【００２７】
弓形の部材は、好ましくは、その中央に隣接してそれぞれの滑動可能な部材上に配置され、そしてその自由端は、他の部材に対して係合可能である。
眼内に眼内レンズを挿入するための本発明による器械は、本発明による装置を組み込み、そしてレンズがそれによりその管状の形状に整列される軸に沿って巻いた眼内レンズを送出することができる。
【００２８】
この器械は、本体部分、本体部分の前方にありしかもレンズがそれを通ってその前記の軸に沿って通過するように構成される内腔を有する突出部分、そして本体部分及び突出部分を通って動くことができるプランジャーからなり、該部材の１つは、突出部分を構成しそして他の部材はそれに関して滑動できる。
【００２９】
好都合には、突出部分は、本体部分に関して動くことができて、突出部分の内腔に配置された巻いたレンズに接近することができる。
突出部分は、本体部分にヒンジで接続され、そして該接近が可能である開放位置とプランジャーが突出部分中に動くことができる閉止位置との間を動くことができる。
【００３０】
別の態様として、しかし、突出部分は、本体部分から分離でき、そして突出部分及び本体部分は、例えば他の部分の相当する穴に係合する該部分の１つ上の少なくとも１つのピンによって互いに圧入される。
【００３１】
本発明は、さらに、眼内に巻いた眼内レンズを挿入するための器械を提供し、それは、縦軸を有する本体部分、本体部分の前方にありしかもレンズがそれを通って通過するように構成された内腔を有する突出部分、そして本体部分及び突出部分を通って動くことができるプランジャーからなり、突出部分は、突出部分に関して滑動可能でありしかも挿入されるレンズを受容かつ配置するように働き、そして滑動可能な部材及び突出部分の相対的な滑動の動きは、管状の形状へレンズを巻かせるように構成され、その場合、レンズは、縦軸と整合させられ、巻いたレンズの眼中への挿入のために突出部分の内腔を通って動くとき、プランジャーにより係合される。
【００３２】
この器械では、突出部分及び滑動可能な部材のそれぞれは、好ましくは、凹状のくぼみを有し、そのくぼみは突出部分及び滑動可能な部材の相対的な滑動の動きの１つの限界で、巻いたレンズの管状の形状を画成する空所を形成する。
【００３３】
それぞれのくぼみは、それぞれ突出部分及び滑動部材の表面の１つの端に沿って直立して形成され、該表面の１つは、突出部分及び滑動部材の相対的な滑動の動きによりそれが巻かれつつある前に、レンズを受容するように働く。
【００３４】
有利には、それぞれのくぼみは、該表面とそれに平行に延在している他の表面との間の階段部分として形成され、突出部分及び滑動部材の他の表面は、突出部分に関する滑動部材の滑動の動きについて、それぞれ滑動部材及び突出部分の該表面と滑動して接触する。好ましくは、各くぼみは半円筒状である。
【００３５】
有利には、突出部分及び滑動部材の少なくとも１つは、巻かれつつあるレンズが突出部分及び滑動部材の相対的な滑動の動きの間それと接触させられる受け部の表面を設けるように成形され、それにより空所内の回転運動に対してレンズを阻止しそしてレンズを巻くことを促進する。
【００３６】
受け部の表面は、凹状のくぼみの１つの１つの端に沿って延在する平坦部により形成できる。
有利には、器械は、該限界位置を画成する停止手段を有し、その停止手段は、好都合には、限界位置で突出部分及び滑動部材の他のものの表面と接する突出部分及び滑動部材の１つの上の突出ピンからなる。
【００３７】
器械は、好ましくは、滑動部材が突出部分に関して直線的に滑動することを拘束する手段を有し、拘束手段は、好都合には、突出部分及び滑動部材の他のものの相当する開口で受容可能な突出部分及び滑動部材の１つの上の少なくとも１つの細長いガイド要素からなる。
【００３８】
有利には、拘束手段は、突出部分及び滑動部材の他のものの円筒状の穴に受容可能な突出部分及び滑動部材の１つ上の円筒状のピンからなる。好ましくは、拘束手段は、それぞれの円筒状の穴に受容可能な第一及び第二の平行な円筒状のピンからなる。
【００３９】
好都合には、ピンは、ともに突出部分及び滑動部材の１つの上にあり、穴は他のものにある。
器械は、有利には、レンズの巻きが達成されている突出部分及び滑動部材の相対的な位置を画成する手段を有し、その手段は、好都合には、弾性のある偏らせる手段と組み合わされたクリック止め機構からなる。
【００４０】
クリック止め機構は、突出部分または滑動可能な部材から突き出ししかもそれぞれ滑動部材または突出部分の受け部の後ろで係合可能な可撓性の片からなる。
好ましくは、巻く本体部分は、突出部分または滑動可能な部材上に配置されしかも突出部分及び滑動可能な部材を偏らせて離れるようにするためのそれぞれ滑動可能な部材または突出部分に対して係合可能な弾性のある弓形の部材からなる。
【００４１】
弓形の部材は、好ましくは、その中央に隣接して突出部分または滑動可能な部材上に配置され、そしてその自由端は、それぞれ滑動可能な部材または突出部分に対して係合可能である。
【００４２】
本発明の器械には、レンズ巻き部材がレンズが巻かれそして送出できる用意ができているそれらの相対的な位置にあるとき、器械を受容するように成形された圧縮ブロックと組み合わせて提供される。
【００４３】
本発明は、さらに、レンズを管状の形状に巻くことからなる、眼内への挿入のための眼用レンズを製造する方法を提供する。
方法は、それがその管状の形状を維持するように挿入前に巻いたレンズを冷却するさらなる工程を含む。
【００４４】
有利には、巻いたレンズは、横断面でらせん状の形状を有する。
レンズを巻くことは、本発明による別のレンズ巻き装置を使用して行うことができ、その装置から、別の挿入器械を使用して眼内へ挿入する前に、例えばピンセットにより巻いたレンズが取り出される。
【００４５】
好ましくは、しかし、本発明による器械を使用して、レンズは巻かれそして挿入される。
本発明は、さらに、眼好ましくはヒトの眼の中に眼内レンズを挿入する方法を提供し、レンズは本発明による装置または器械を使用して巻かれ、眼を切開し、そして本発明またはそれ以外の方法による器械を使用して、切開部を通して好ましくは冷却後巻いたレンズを挿入し、そして眼内で巻き戻される。
【００４６】
本発明をさらに充分に理解するために、本発明の態様は、例及び図に関連して以下に記述される。
先ず、図１−３に関して、眼内への眼内レンズの挿入のための器械１０が示される。この器械は、おおむね、特許文献１に記載されたような方法で働く。器械１０は、図９においてさらに詳細に示される本体１２からなる。本体１２の前方の端に、突出部分１４があり、それは、図１及び２において示されているような閉止位置と開放位置（図示せず）との間を９０度で枢動する。枢動は、本体１２の前端の孔１８（図９）内に納められたピボットピンの回りで生ずる。器械の本体から後方に突き出しているのは、プランジャー２０である。プランジャーは、フランジ２２に関して押し下げられるように構成される。フランジ２２の前方には、差し込みピン２６（図１）を組み込んだ差し込み２４がある。この差し込みは、清浄及び滅菌のために器械の本体１２から、図３に示されるプランジャー及び付属品を取り出すことを可能にする。
【００４７】
図３に示されるように、プランジャー２０の前方でしかもそれに接続して、スプリング３０により囲まれたセンターロッドまたはプッシュロッド２８がある。プランジャー２０及びセンターロッド２８は、好ましくは、ポリエーテルエーテルケトン（ＰＥＥＫ）材料から作られ、それは、チタン表面上のその滑らかな滑動の動きのために、チタン製器械と使用して特に適切である。プランジャー２０は、従ってそれが押し下げられるとき、非常に滑らかな動きをする。
【００４８】
図９に簡単に触れると、その後方の端に差し込み２４の一部を備えた器械の本体１２が示される。スプリング３０は、本体内の内表面３２に対して前方の端に位置し、そしてセンターロッド２８は、本体１２の前方端で内部の穴３４を通過するように構成される。本体の前方の端は、突出部分３６で終わり、それは、突出部分そして以下に記述されるレンズ送出システムと協同して機能する。
【００４９】
レンズ巻き送出装置について説明する。送出装置は、レンズローラ基体３８からなり、それは図１においてそれが使用されている場合が示され、そして図６−８において詳細に示される。レンズローラ基体３８は、器械１０の縦軸の横方向に滑動できるように構成される。図１において、レンズローラ基体３８は、器械の１つの面へ最大に延長した位置で示される。それは、突出部分１４が閉じられたとき、器械を直線的に滑動するように構成される。レンズローラ基体３８は、ＰＥＥＫ材料の方形のプロックからなり、材料は、チタンまたはチタン合金の隣接する表面に関して滑らかに滑動するように選ばれる。基体３８は、実質的にさらに薄い後方の部分４２を有する、平らな比較的薄い前方の部分４０からなる。これらの間に、中間の階段部分４４がある。より厚い後方の部分４２には、それぞれのピン４８（図１）を受容する２つの穴４６が設けられている。図１に示されるように、これらのピン４８は、穴４６に差し込まれるとき、基体の中間の階段の部分４４を僅かに越えて突き出している。
【００５０】
中間の階段の部分４４の前方の端は、基体３８の幅にわたって延在して凹状のくぼみ５０を画成するように成形されている。このくぼみは、約１．３０ｍｍの直径を有する。凹状のくぼみ５０の上方の縁に、５２で図７−８で示されている弓状物の頂点で平坦部すなわち「フラット」がある。この「フラット」の目的は、以下に記述される。
【００５１】
図４及び５について述べると、これらは器械の突出部分１４を示す。上述のように、突出部分１４は、ピボットピン１６の回りに９０度枢動できる。突出部分１４の前方の端は、それを通ってレンズが眼の切開部に向かって押される内部の穴５４を有するノズルとして成形される。突出部分１４の後方の部分は、図５に最も明らかに示されているように、上方の水平の表面５８と下方の水平の表面６０との間に縦方向に延在している凹状のくぼみ５６を設けるように成形される。凹状のくぼみ５６の直径は、１．３０ｍｍであり、すなわちレンズローラ基体３８の凹状のくぼみ５０の直径と同じである。２つの凹状のくぼみ５０及び５６は、互いに面して整合しているように配置される。図５から理解されるように、凹状のくぼみ５６の曲率の中心は、穴５４及び注入器械の縦軸と一致する。突出部分１４には、またレンズローラ基体から突き出しているピン４８を受容する大きさを有ししかも配置されている穴６２の１組が設けられている。
【００５２】
使用にあたって、図１に示されているような後退したプランジャー２０により、また図１に示されているような開放されている側に滑動しているレンズローラ基体３８によりそして閉じた突出部分１４により、薄いレンズ６４は、凹状のくぼみ５０の幅内でその周囲を有するレンズローラ基体３８の平らな表面６６上に置かれる。好適な潤滑剤例えばバランスのとれた塩溶液（ＢＳＳ）が、この段階で器械の突出部分中に挿入できる。突出部分１４をなお閉じたまま、レンズローラ基体３８は、器械の縦軸に関して横方向に押されて、突出部分１４に関して滑動する。レンズ６４が突出部分１４の凹状のくぼみ５６に近づくにつれ、その周囲は、このくぼみの表面と係合しそしてくぼみの内側の回りに上方に巻かれ始める。滑動の動きが続くとき、そして２つの凹状のくぼみが互いに近づくとき、レンズの先端は、レンズローラ基体の凹状のくぼみ５０の上方の縁で平坦部５２に突き当たり、そして停止する。閉止の動きを続けると、次に異なる半径の２つのくぼみ５０及び５６により画成される円筒状の空所内にレンズが巻き上げられる。それぞれＰＥＥＫ材料及びチタン材料で形成されるくぼみ５０及び５６の異なる表面の性質が、レンズを巻く工程の助けになると考えられる。
【００５３】
図１０−１２は、巻く工程をさらに詳細に示している。レンズ６４は、図９では平面図で示されている。レンズは、光学的部分８０からなり、それはレンズの光学的力に依存する厚さを有し、そしてそれぞれの周辺部では、挿入後眼にレンズを配置するさらに薄いへり（ｈａｐｔｉｃ）部分８２を有する。レンズの大きさは、約１０．５ｍｍ×５．５ｍｍでありそして最大の厚さは約０．４５ｍｍである。へり部分８２は、それぞれ厚さ約０．１ｍｍである。この例では、レンズの光学的力は、部分的に中空でありそして一連の同心円のリングから形成される光学的部分８０の形状により決定され、そしてそのリングの数及び厚さは、光学的力を決定しそしてそれに従って変化できる。へり部分の西洋ナシ様の開口８６により、レンズを巻く前に正確に方向づけされているかを肉眼でチェックできる。図１１は、レンズの側面図を示す。図１２は、図９に示された軸８４の回りに生ずる巻いた後のレンズを示す。巻いたレンズは、少なくとも１つそして代表的には２つ、３つまたはそれより多い巻きからなる螺旋状の形状を有する。巻いたレンズの全体の直径は、この例では約１．３ｍｍである。光学的部分８０の厚さに応じて、螺旋の巻きの間にはより大きなまたはより小さい空気の空間が存在するか、またはときにはどんな空間も存在しない。
【００５４】
レンズローラ基体３８がその最大の距離に進んだとき、突出ピン４８は、突出部分１４の穴６２内に配置される。ピンとして形成されるチェック止め６８は、次に突出部分１４及びレンズローラ基体３８をそれらの係合した位置で保持する。２つの部品がそのように係合したとき、突出部分１４は、「開けられ」、すなわち９０度枢動し、従って突出部分の後方の端を開けそしてその円筒状の空所内の巻いたレンズを検査できる。望ましくは、巻いたレンズは次にまた低温度に保持された冷却剤例えばバランスした（ｂａｌａｎｃｅｄ）塩溶液（ＢＳＳ）を噴霧される。これは、レンズをさらに堅くさせそして突出部分の穴５４を通る次の送出にその形状を維持させる。肉眼による検査及び／またはレンズの冷却後、突出部分１４を、その閉じた位置に枢動して戻す。器械内で軸方向に配置されたレンズ６４は、次にプランジャー２０の押し下げにより前方に押される。プランジャー２０の押し下げは、センターロッド２８の先端をレンズと係合させそしてそれを眼の切開部中に穴５４を通して前方に押す。望ましくは、さらに弾力のある接触をもたらすために、レンズ６４とセンターロッド２８の先端との間に粘性のある材料を供給することができる。センターロッド２８の先端は平らである。
【００５５】
レンズ６４の挿入後、チェック停止ピン６８は解除され、そしてレンズローラ基体３８は、その最初の受容位置に滑動して戻る。
レンズ巻き送出装置は、特許文献１に記載されたタイプの器械によるその使用に関連して上述されたが、それはその特別なタイプの器械に限定されるものではないことを理解すべきである。例えば、レンズ巻き装置は、枢動可能な突出部分を有しないが注入のためにレンズをその前方の端で装備するようにデザインされた注入器械で使用できるだろう。この場合、別のレンズ巻き装置が使用でき、一度巻いたレンズは次に好適な移動装置例えばピンセットの使用によって注入器械に装備される。それゆえ、例えば図１３に示されたようなレンズ巻き装置を提供することは本発明の範囲内にあり、それは、互いに滑動可能なブロックとして形成される２つの部材７０、７２からなる。下方のブロック７２には、凹状のくぼみ７４が設けられ、そして上方のブロック７０には、対応する凹状のくぼみ７６が設けられる。凹状のくぼみ７４の弓形の頂点には、平坦部７８すなわち「フラット」が設けられ、それは、２つのブロックの間に画成する空所内に位置する巻いたレンズのための受け部として働く。装置の構造に応じて、ブロック７０、７２の１つまたは両者は、滑動するようにされる。一度レンズが２つのブロックの間に位置しそしてブロックの滑動する動きにより巻かれるならば、ブロックは、好適な方法で開かれて、好ましくはレンズがその形状を維持することができる冷却後、注入器械（本発明による器械またはそれ以外の器械である）に移すために、巻いたレンズを取り出すことができる。
【００５６】
図１４及び１５に関して言えば、これらは、眼中への眼内レンズの挿入のための他の完全な注入器械１１０を示す。器械１１０は、図２０にさらに詳細に示される本体部分１１２からなる。本体部分１１２の前端には、突出部分１１４があり、それは図２１−２４にさらに詳細に示されている。本体１１２及び突出部分１１４は、それらの整合を維持するために上方のピン１１６の１組及び単一の下方のピン１１８を使用して、圧入される。突出部分１１４には、１組の穴１２０が設けられて上方のピン１１６を受容し、そしてより小さい直径の穴１２２が設けられて下方のピン１１８を受容する。器械の本体から後方に、プランジャー１２４が突き出し、それはフランジ１２６に関して押し下げられるようにされる。フランジ１２６の前方には、差し込み１２８があり、それは、清浄及び滅菌のためにプランジャー及びその付属品を器械の本体から引き出させる。
【００５７】
図に示されていないが、プランジャー１２４の前方にプッシュロッドがあり、それはスプリングにより囲まれる。プッシュロッドの前端は、レンズに作用してそれを突出部分を通って送出する。プランジャー及びセンターロッドは、好ましくはポリエーテルエーテルケトン（ＰＥＥＫ）材料から作られ、それは、チタンの表面上のその滑らかな滑動の動きのために、チタン製器械との使用に特に適切である。
【００５８】
レンズ巻き送出装置が以下に記述される。送出システムは、レンズローラ基体１３０からなり、それは図１４に使用している場合を示し、そして図１６−１８にさらに詳細に示される。レンズローラ基体１３０は、器械１１０の縦軸に対して横方向に滑動可能であるようにされる。図１４では、レンズローラ基体１３０は、器械の１つの側へ最大に延長した位置で示される。それは、器械について直線的に滑動するようにされる。レンズローラ基体１３０は、チタンまたはチタン合金の隣接する表面に関して滑らかに滑動するように選択された材料であるＰＥＥＫ材料のほぼ方形のブロックからなる。基体１３０は、実質的により厚い後方の部分１３４を有する平らな比較的薄い前方の部分１３２からなる。薄い前方の部分１３２は、上方の平らな表面１５８を有する。前方及び後方の部分１３２、１３４の間には、中間の階段の部分１３６がある。中間の階段の部分１３６の前方の端は、基体の幅にわたって延在している凹状のくぼみ１３８を画成するように成形される。このくぼみは、約１．３０ｍｍの直径を有する。凹状のくぼみ１３８の上方の縁には、図１８及び１９において１４０と指示される弓形の頂点に平坦部または「フラット」がある。レンズローラ基体のより厚い末端部分１３４には、前方に延在する弓形のスプリング部分１４２が設けられ、それは、レンズローラ基体が器械の突出部分を通って押される時、突出部分の滑動面に対して接しており、そしてそうすることにより、後退する方向に偏りの力を働かすように変形するようにされる。スプリング１４２の２つのアームは、この効果を達成できるようにするのに充分な弾性を有するようにされる。レンズローラ基体のより薄い部分１３２には、クリック止め機構の１つの部分、すなわち或る程度の可撓性を有しそしてその末端が舌状物の形で基体の側面を越えて突き出している舌状物１４４が設けられる。突き出した舌状物１４４の内側には、末端の閉じたスロット１４６が基体にある。舌状物１４４は、従って、舌状物の末端の外側に働く圧力によってスロット１４６中に押し下げられうる。
【００５９】
図２１−２４は、器械の突出部分１１４の詳細を示す。突出部分１１４の前方の末端は、レンズがそれを通って眼の切開部に向かって押される内部の穴を有するノズルとして成形される。突出部分の後方の部分は、図２４に最もはっきり示されているように、上方の水平の表面１５０と下方の水平の表面１５２との間に、縦方向に延在する凹状のくぼみ１４８を設けるように成形される。凹状のくぼみ１４８の直径は、１．３０ｍｍであり、すなわちレンズローラ基体１３０の凹状のくぼみ１３８の直径と同一である。配置は、２つの凹状のくぼみ１３８及び１４８が互いに面して整合しているようなものである。また、凹状のくぼみ１４８の曲率の中心は、ノズルを通る穴及び注入器械の縦軸と一致する。突出部分１１４には、またクリック止め機構として機能する、レンズローラ基体の舌状物１４４と掛け止めするようにされた切り抜きまたはくぼみ１５４が設けられる。切り抜き１５４は、それに対して舌状物１４４が係合可能な受け部を画成する。
【００６０】
使用にあたって、図１４に示されたような後退したプランジャー１２４により、そして図１４にまた示されたような開放した側面に滑動するレンズローラ基体１３０により、薄いレンズ１５６（図１０に示されたレンズと同様なレンズ）は、レンズローラ基体の平らな表面１５８上に置かれ、その周縁は凹状のくぼみ１３８内にある。レンズローラ基体は、次に器械の縦軸に関して横方向に押されて、それは突出部分１１４を滑動する。レンズ１５６が突出部分１１４の凹状のくぼみ１４８に近づくにつれ、その周縁は、このくぼみの表面と係合し、そしてくぼみの内側の回りに上方に巻かれ始める。滑動の動きが続くに従い、そして２つの凹状のくぼみが互いに近づくにつれ、レンズの巻いた端は、レンズローラ基体の凹状のくぼみ１３８の上方の縁で平坦部またはフラット１４０に突き当たり、そして停止する。閉止した動きを続けると、次に２つの凹状のくぼみにより画成される円筒状の空所内にレンズが巻かれる。レンズは、この空所内に螺旋に巻かれる。巻いたレンズは、次に約１．３ｍｍの直径を有する。巻く工程は、図１０−１２に示されるようなものである。
【００６１】
レンズローラ基体１３０がその最大の距離に進んだとき、レンズローラ基体の移動中スロット１４６中に押し下げられている突き出した舌状物１４４は、突出部分の切り抜き１５４に達しそしてこのくぼみ１５４中に掛け止めされる。同時に、レンズローラ基体上にスプリング部材１４２のアームは、突出部分に対する係合により移動し、そしてレンズローラ基体を後退させる方向に偏りの力を働かせる。この偏りの力とくぼみ１５４中の舌状物１４４の掛け止めとの組み合わせは、プランジャーに取り付けたプッシュロッドにより送出のためにレンズを正確に配置するように働く。
【００６２】
眼の切開部を通るレンズの送出後、レンズローラ基体は、スロット１４６中へ舌状物１４４を単に手動で押し下げることによって、その送出位置から開放され、それによりスプリング部材１４２の偏りの力は、図１４に示される位置にそれを引き下げるのに充分なように基体を後退させる。
【００６３】
図示されそして記述されたレンズローラ基体は、整合ピン及び穴の使用と比較するとき、チタン合金から機械加工するのが比較的容易な形状のものである。偏りの手段及びクリック止め機構の組み合わせは、製造の容易さの点で簡単な解決策を提供する。
【００６４】
本発明は、約１．３０ｍｍの直径に巻かれうる薄いレンズに関して上述されたが、本発明は、どんな特定の大きさに限定されるものと考えてはならない。同様に、本発明は、どんな特定の材料のレンズに限定されるものと考えてはならない。本発明は、上述の方法で巻かれうるすべてのレンズに適用できる。
【００６５】
図面の図２５及び２６は、図１４−２０の器械により使用できる圧縮ブロック３００を示す。ブロックは、ナイロン６６から製造されるが、他の好適な材料好ましくはプラスチック材料が使用できる。ブロックは、大きさが約３５ｍｍ×２６ｍｍ×１８ｍｍの基本的な立方体の形状を有する。幅約２０ｍｍ及び方形の断面の横スロット３０２は、ブロックの１つの側面から他の側面に延在している。スロット３０２は、それぞれ約１０ｍｍ及び約８ｍｍの深さの等しい幅のより深いそしてより浅い部分３０４、３０６を有する。スロットの側面の壁の上方の縁は、３０７で指示されているように、面取りされている。
【００６６】
側面のスロット３０８は、より深い横方向のスロット部分３０４中に開いている。側面のスロット３０８は、また方形の断面を有しそして幅は約１５ｍｍである。スロットの側壁は、３０７でまた指示されるように、面取りされている。横方向及び側面のスロット３０２及び３０８は、従って、平面図でＴ形であるスロットをともに形成する。
【００６７】
圧縮ブロック３００は、図１４−２４の器械により以下のように使用される。レンズローラ基体１３０が、スプリング部材１４２の弾性のある偏りに対して突出部分中に完全に押されそして舌状物１４４がくぼみ１５４に掛け止めされた後であるがレンズの送出前に、器械は、圧縮ブロック３００に置かれて、突出部分１１４は横方向のスロット３０２のより深い部分３０４に置かれ、レンズローラ基体１３０のより厚い部分１３４は、横方向のスロット３０２のより浅い部分３０６に置かれ、そしてレンズローラ基体１３０のより薄い部分１３２は側面のスロット３０８に置かれる。この位置では、より厚い部分１３４の端面、並びに突出部分１１４及び本体部分１１２の外側の表面は、スプリング部材１４２の偏りの力によって横方向のスロット３０２の側壁と接触させられ、該スプリング部材は、器械がブロック中に挿入されるにつれさらに変形され、スロット３０２、３０８の側壁の上方の縁の面取り３０７は、これを助ける。
【００６８】
図２７は、上記のように、圧縮ブロックと係合する器械を示す。器械１１２に関するローラ基体１３０のこの位置において、レンズは、好ましくは態様では約１．３ｍｍである直径に巻かれて、それは突出部分１１４の穴を通ってプランジャー１２４によって容易に送出できる。この態様では、穴の直径は、約１．４ｍｍである。器械がブロック３００と係合している間、弓形のスプリング部分１４２の偏りに対してその完全に挿入された位置からクリープして離れるローラ基体１３０のすべての傾向は、圧縮ブロックにより抵抗される。この抵抗は、次に巻いたレンズの顕著な巻き戻りが生じないことを確実にする。この巻き戻りは望ましくない。それは、器械により送出されるとき、それが、突出部分の先端１１４を通って穴の壁にレンズが付着する傾向を導くかもしれない巻いたレンズの直径の増大を伴うからである。
【００６９】
器械が、レンズの送出が生ずる前に、或る時間、例えば少なくとも３０秒間圧縮ブロック３００に保持されねばならないことが望ましい。これは、レンズがその完全に巻かれた形状をとることを確実にする。また、どんな部分的な巻き戻しが生じないことを確実にするために、レンズはブロック３００からの取り出し直後器械により送出されるか、またはもしこの時間以内に送出されないならば、ブロックに戻されることが重要である。
【００７０】
器械は、送出前に医師により簡単な動きでブロックから取り出され、その動きは、突出部分１１４の前方の端とより深い溝の部分３０４の床との接触点の回りの器械の簡単な上方の枢動の動きである。
【００７１】
レンズの送出後、舌状物１４４は、くぼみ１５４及び器械の突出部分から引き出されたローラ基体１３０から取り出される。器械は、次の使用の前に清浄及び滅菌される前に、次に分解される。
【００７２】
記述されたすべての器械は、眼科医により上述のように装填した後使用されて、長さ約２ｍｍのような小さいヒトの眼の切開部を通って巻いたレンズを送出することができる。レンズは、好ましくは、送出前に冷却されて、その巻いた形状を維持し次に眼中への挿入後巻き戻される。
【図面の簡単な説明】
【００７３】
【図１】本発明のレンズ送出装置を有する注入器械の平面図である。
【図２】図１で示される器械の側面図であるが、プランジャーはレンズの挿入後完全に押し下げられている。
【図３】プランジャー及びプッシュロッドの内部の機構を説明する、図１に示された器械の一部の側面図である。
【図４】図１及び２に示された器械の突出部分の側面図である。
【図５】図４における矢印Ｖの図である。
【図６】器械のレンズ送出装置のレンズローラ基体の平面図である。
【図７】図６に示されたレンズローラ基体の側面図である。
【図８】図６及び７に示されているレンズローラ基体の端面図である。
【図９】図１及び２に示される器械の本体部分の側面図である。
【図１０】巻く前の薄いレンズの平面図である。
【図１１】図９のレンズの側面図である。
【図１２】巻いた後の図９のレンズの図９における矢印ＸＩの方向の端面図である。
【図１３】薄いレンズを巻くための別の装置の概略図である。
【図１４】本発明の他のレンズ送出装置を用いる他の注入器械の平面図である。
【図１５】図１４に示された器械の側面図であるが、プランジャーはレンズの挿入後完全に押し下げられている。
【図１６】レンズローラ基体の拡大平面図である。
【図１７】レンズローラ基体の平面図である。
【図１８】図１７のレンズローラ基体の側面図である。
【図１９】図１７及び１８に示されるレンズローラ基体の端面図である。
【図２０】注入器械の本体部分の側面図である。
【図２１】器械の突出部分の平面図である。
【図２２】図２１に示される突出部分の側面図である。
【図２３】図２１及び２２に示される突出部分の底面図である。
【図２４】右手方向から見た図２２に示される突出部分の端面図である。
【図２５】図１４−２４の器械とともに使用される圧縮ブロックの平面図である。
【図２６】図２５のブロックの側面図である。
【図２７】図２６に相当しそして使用中のブロックを示す。
【符号の説明】
【００７４】
１０    器械
１２    本体部分
１４    突出部分
１６    ピボットピン
１８    孔
２０    プランジャー
２２    フランジ
２４    差し込み
２６    差し込みピン
２８    センターロッドまたはプッシュロッド
３０    スプリング
３２    内部の表面
３４    内部の穴
３６    突出部分
３８    レンズローラ基体
４０    前方の部分
４２    後方の部分
４４    階段部分
４６    穴
４８    突出ピン
５０    凹状のくぼみ
５２    平坦部
５４    内部の穴
５６    凹状のくぼみ
５８    上方の水平面
６０    下方の水平面
６２    穴
６４    レンズ
６６    平らな表面
６８    チェック止め
７０    上方のブロック
７２    下方のブロック
７４    凹状のくぼみ
７６    凹状のくぼみ
７８    平坦部
８０    光学的部分
８２    へり部分
８４    軸
８６    西洋ナシ様開口
１１０  注入器械
１１２  本体部分
１１４  突出部分
１１６  上方のピン
１１８  下方のピン
１２０  穴
１２２  穴
１２４  プランジャー
１２６  フランジ
１２８  差し込み
１３０  レンズローラ基体
１３２  前方の部分
１３４  後方の部分
１３６  階段部分
１３８  凹状のくぼみ
１４０  平坦部
１４２  スプリング部分
１４４  舌状物
１４６  スロット
１４８  凹状のくぼみ
１５０  上方の水平面
１５２  下方の水平面
１５４  切り抜き
１５６  レンズ
１５８  上方の平らの表面
３００  圧縮ブロック
３０２  横方向のスロット
３０４  深い部分
３０６  浅い部分
３０７  面取り
３０８  側面のスロット
【図１】
2005534365.tif 000003
【図２】
2005534365.tif 000004
【図３】
2005534365.tif 000005
【図４】
2005534365.tif 000006
【図５】
2005534365.tif 000007
【図６】
2005534365.tif 000008
【図７】
2005534365.tif 000009
【図８】
2005534365.tif 000010
【図９】
2005534365.tif 000011
【図１３】
2005534365.tif 000012
【図１０】
2005534365.tif 000013
【図１１】
2005534365.tif 000014
【図１２】
2005534365.tif 000015
【図１４】
2005534365.tif 000016
【図１５】
2005534365.tif 000017
【図１６】
2005534365.tif 000018
【図１７】
2005534365.tif 000019
【図１８】
2005534365.tif 000020
【図１９】
2005534365.tif 000021
【図２０】
2005534365.tif 000022
【図２１】
2005534365.tif 000023
【図２２】
2005534365.tif 000024
【図２３】
2005534365.tif 000025
【図２４】
2005534365.tif 000026
【図２５】
2005534365.tif 000027
【図２６】
2005534365.tif 000028
【図２７】
2005534365.tif 000029
【国際調査報告】
2005534365.tif 000030
2005534365.tif 000031
2005534365.tif 000032
2005534365.tif 000033